(57)【要約】【課題】パラメーター情報の実体を用いる装置に対してパラメーター情報の実体を提供できる状態を確立した上で、パラメーター情報の実体を記憶する容量を低減する。【解決手段】印刷装置３の機種と印刷メディアとの組み合わせと対応付けて抽象化表現情報を記憶する抽象化情報記憶部３２１と、抽象化表現情報と対応付けて印刷装置３による印刷メディアへの印刷に利用されるパラメーター情報の実体を記憶する実体記憶部３２２と、を有し、印刷装置３の機種と印刷メディアとの組み合わせが特定されて、当該組み合わせに対応するパラメーター情報の実体が要求された場合、抽象化情報記憶部３２１を参照して、当該組み合わせに対応する抽象化表現情報を特定し、特定した抽象化表現情報に基づいて実体記憶部３２２からパラメーター情報の実体を取得して提供する制御装置５。【選択図】図３
2018142172.tif 000002
【特許請求の範囲】
【請求項１】
印刷装置の機種と印刷メディアとの組み合わせと対応付けて抽象化表現情報を記憶する抽象化情報記憶部と、
前記抽象化表現情報と対応付けて印刷装置による印刷メディアへの印刷に利用されるパラメーター情報の実体を記憶する実体記憶部と、を有し、
印刷装置の機種と印刷メディアとの組み合わせが特定されて、当該組み合わせに対応するパラメーター情報の実体が要求された場合、前記抽象化情報記憶部を参照して、当該組み合わせに対応する前記抽象化表現情報を特定し、特定した前記抽象化表現情報に基づいて前記実体記憶部からパラメーター情報の実体を取得して提供する情報処理装置。
【請求項２】
前記抽象化表現情報は、パラメーター情報の実体を形容する言葉である請求項１に記載の情報処理装置。
【請求項３】
前記抽象化表現情報は、パラメーター情報の実体に割り振られたインデックスである請求項１に記載の情報処理装置。
【請求項４】
前記実体記憶部は、パラメーター情報の実体を重複して記憶せず、
前記抽象化情報記憶部が記憶する前記抽象化表現情報は、印刷装置の機種と印刷メディアとの組み合わせに対して重複して付与されることが許容される請求項１から３のいずれか１項に記載の情報処理装置。
【請求項５】
パラメーター情報の実体を提供する際、パラメーター情報の実体をファイル化して提供する請求項１から４のいずれか１項に記載の情報処理装置。
【請求項６】
パラメーター情報の実体の要求は、パラメーター情報の実体を用いる装置により行われる請求項１から５のいずれか１項に記載の情報処理装置。
【請求項７】
パラメーター情報の実体は、印刷装置に設定する印刷制御パラメーターを含む請求項１から６のいずれか１項に記載の情報処理装置。
【請求項８】
パラメーター情報の実体は、画像処理を実行することによって印刷装置へ出力する印刷データを生成する画像処理装置が、前記画像処理に利用する画像処理パラメーターを含む請求項１から７のいずれか１項に記載の情報処理装置。
【請求項９】
前記画像処理パラメーターとしてカラープロファイルを含む請求項８に記載の情報処理装置。
【請求項１０】
カラープロファイルは、印刷装置の有する複数の動作モードに応じてそれぞれ用意されている請求項９に記載の情報処理装置。
【請求項１１】
少なくとも印刷装置を含む装置と通信可能な情報処理装置を備える情報処理システムであって、
前記情報処理装置は、
印刷装置の機種と印刷メディアとの組み合わせと対応付けて抽象化表現情報を記憶する抽象化情報記憶部と、
前記抽象化情報と対応付けて印刷装置による印刷メディアへの印刷に利用されるパラメーター情報の実体を記憶する実体記憶部と、を有し、
印刷装置の機種と印刷メディアとの組み合わせが特定されて、当該組み合わせに対応するパラメーター情報の実体が要求された場合、前記抽象化情報記憶部を参照して、当該組み合わせに対応する前記抽象化表現情報を特定し、特定した前記抽象化表現情報に基づいて前記実体記憶部からパラメーター情報の実体を取得して提供する制御部と、
を備える情報処理システム。
【発明の詳細な説明】
【技術分野】
【０００１】
本発明は、情報処理装置、及び、情報処理システムに関する。
【背景技術】
【０００２】
従来、異なる種類の印刷メディア（用紙）を印刷対象とすることが可能な印刷装置（画像形成装置）について、印刷制御パラメーター（機械動作パラメーター）に基づいて印刷に関する設定を行うシステムが知られている（例えば、特許文献１参照）。
また、従来、画像処理装置（印刷制御装置）が、画像処理パラメーター（ＩＣＣプロファイル）に基づいて印刷データを生成し、印刷装置に送信するシステムが知られている（例えば、特許文献２参照）。
【先行技術文献】
【特許文献】
【０００３】
【特許文献１】特開２０１５−１４５９４０号公報
【特許文献２】特開２０１０−１０２３９８号公報
【発明の概要】
【発明が解決しようとする課題】
【０００４】
ここで、印刷制御パラメーターや、画像処理パラメーター等のパラメーター情報の実体はデータの容量が大きく、これらパラメーター情報の実体を用いる装置に対してパラメーター情報の実体を提供できる状態を確立した上で、パラメーター情報の実体を記憶する容量をできるだけ低減したいとするニーズがある。
本発明は、上述した事情に鑑みてなされたものであり、パラメーター情報の実体を用いる装置に対してパラメーター情報の実体を提供できる状態を確立した上で、パラメーター情報の実体をできるだけ効率的に記憶することを目的とする。
【課題を解決するための手段】
【０００５】
上記目的を達成するために、本発明の情報処理装置は、印刷装置の機種と印刷メディアとの組み合わせと対応付けて抽象化表現情報を記憶する抽象化情報記憶部と、前記抽象化表現情報と対応付けて印刷装置による印刷メディアへの印刷に利用されるパラメーター情報の実体を記憶する実体記憶部と、を有し、印刷装置の機種と印刷メディアとの組み合わせが特定されて、当該組み合わせに対応するパラメーター情報の実体が要求された場合、前記抽象化情報記憶部を参照して、当該組み合わせに対応する前記抽象化表現情報を特定し、特定した前記抽象化表現情報に基づいて前記実体記憶部からパラメーター情報の実体を取得して提供する。
この構成によれば、情報処理装置は、パラメーター情報の実体を用いる装置に対してパラメーター情報の実体を提供できる状態を確立した上で、パラメーター情報の実体を記憶する容量を低減することができる。
【０００６】
また、本発明は、前記抽象化表現情報は、パラメーター情報の実体を形容する言葉である。
この構成によれば、人間が、抽象化表現情報を認識したときに、抽象化表現情報に対応するパラメーター情報の実体の内容を、直感的、感覚的に認識できる。
【０００７】
また、本発明は、前記抽象化表現情報は、パラメーター情報の実体に割り振られたインデックスである。
この構成によれば、インデックスにより、抽象化表現情報を簡潔に表現することができる。
【０００８】
また、本発明は、前記実体記憶部は、パラメーター情報の実体を重複して記憶せず、前記抽象化情報記憶部が記憶する前記抽象化表現情報は、印刷装置の機種と印刷メディアとの組み合わせに対して重複して付与されることが許容される。
この構成によれば、情報処理装置は、パラメーター情報の実体を用いる装置に対してパラメーター情報の実体を提供できる状態を確立した上で、パラメーター情報の実体を記憶する容量を低減することができる。
【０００９】
また、本発明は、パラメーター情報の実体を提供する際、パラメーター情報の実体をファイル化して提供する。
この構成によれば、情報処理装置は、パラメーター情報の実体を、ファイルにより、提供できる。
【００１０】
また、本発明は、パラメーター情報の実体の要求は、パラメーター情報の実体を用いる装置により行われる。
この構成によれば、情報処理装置は、パラメーター情報の実体を用いる装置に対して、パラメーター情報の実体を的確に提供できる。
【００１１】
また、本発明は、パラメーター情報の実体は、印刷装置に設定する印刷制御パラメーターを含む請求項１から６のいずれか１項に記載の情報処理装置。
この構成によれば、情報処理装置は、印刷装置に対して印刷制御パラメーターを提供できる状態を確立した上で、印刷制御パラメーターを記憶する容量を低減することができる。
【００１２】
また、本発明は、パラメーター情報の実体は、画像処理を実行することによって印刷装置へ出力する印刷データを生成する画像処理装置が、前記画像処理に利用する画像処理パラメーターを含む。
この構成によれば、情報処理装置は、画像処理装置に対して画像処理パラメーターを提供できる状態を確立した上で、画像処理パラメーターを記憶する容量を低減することができる。
【００１３】
また、本発明は、パラメーター情報の実体は、前記画像処理パラメーターとしてカラープロファイルを含む。
この構成によれば、情報処理装置は、データ量が大きく、特に効率的に記憶することが求められるカラープロファイルについて、記憶する容量を低減することができる。
【００１４】
また、本発明は、カラープロファイルは、印刷装置の有する複数の動作モードに応じてそれぞれ用意されている。
この構成によれば、情報処理装置は、印刷装置の各印刷モードのカラープロファイルについて、効率よく記憶できる。
【００１５】
また、上記目的を達成するために、本発明は、少なくとも印刷装置を含む装置と通信可能な情報処置装置を備える情報処理システムであって、前記情報処理装置は、印刷装置の機種と印刷メディアとの組み合わせと対応付けて抽象化表現情報を記憶する抽象化情報記憶部と、前記抽象化情報と対応付けて印刷装置による印刷メディアへの印刷に利用されるパラメーター情報の実体を記憶する実体記憶部と、を有し、印刷装置の機種と印刷メディアとの組み合わせが特定されて、当該組み合わせに対応するパラメーター情報の実体が要求された場合、前記抽象化情報記憶部を参照して、当該組み合わせに対応する前記抽象化表現情報を特定し、特定した前記抽象化表現情報に基づいて前記実体記憶部からパラメーター情報の実体を取得して提供する制御部と、を備える。
この構成によれば、情報処理装置は、パラメーター情報の実体を用いる装置に対してパラメーター情報の実体を提供できる状態を確立した上で、パラメーター情報の実体を効率的に記憶することができる。
【図面の簡単な説明】
【００１６】
【図１】第１実施形態に係る情報処理システムの構成を示す図。
【図２】メディアサーバーの機能的構成を示すブロック図。
【図３】印刷システムが備える装置の機能的構成を示すブロック図。
【図４】端末、メディアサーバーの動作を示すフローチャート。
【図５】機種入力画面を示す図。
【図６】印刷メディア情報登録画面を示す図。
【図７】印刷メディア情報を示す図。
【図８】メディアリストを示す図。
【図９】登録完了通知画面を示す図。
【図１０】画像処理装置、印刷装置、制御装置の動作を示すフローチャート。
【図１１】抽象化情報テーブルを示す図。
【図１２】設定値実体テーブルを示す図。
【図１３】カラープロファイル実体テーブルを示す図。
【図１４】第２実施形態に係る印刷メディア情報を示す図。
【図１５】第３実施形態に係るメディアサーバーの機能的構成を示すブロック図。
【発明を実施するための形態】
【００１７】
以下、図面を参照して本発明の実施形態について説明する。
【００１８】
＜第１実施形態＞
図１は、本実施形態に係る情報処理システム１の構成を示す図である。
図１に示すように、情報処理システム１は、インターネット、電話網、その他の通信網を含むグローバルネットワークＧＮに接続された複数の印刷システム２を備える。印刷システム２は、印刷装置３による印刷が行われる施設に設けられたシステムである。印刷システム２が設けられる施設は、例えば、顧客からの依頼に応じて印刷装置３により印刷を行って印刷物を生成し、生成した印刷物を提供するサービスを行う会社の工場である。
以下の説明では、印刷装置３を使用する者を総称して、「ユーザー」と表現する。
【００１９】
印刷システム２は、ローカルエリアネットワークＬＮａを備える。ローカルエリアネットワークＬＮａは、印刷システム２が設けられた施設に構築されたコンピューターネットワークである。
ローカルエリアネットワークＬＮａには、通信装置４ａが接続される。通信装置４ａは、ローカルエリアネットワークＬＮａと、グローバルネットワークＧＮとを接続するインターフェース装置である。通信装置４ａは、モデム（又は、ＯＮＵ（Optical Network Unit））に係る機能、ルーター機能、ＮＡＴ（Network Address Translation）機能、及び、ＤＨＣＰ（Dynamic Host Configuration Protocol）サーバー機能等を有する。通信装置４ａは、ローカルエリアネットワークＬＮａに接続された機器と、グローバルネットワークＧＮに接続された機器との間で行われる通信に際し、機器間で送受信されるデータを転送する。なお、図１では、通信装置４ａを１つのブロックで表現するが、通信装置４ａは、機能に応じた複数の装置を有する構成でもよい。
【００２０】
ローカルエリアネットワークＬＮａには、複数の印刷装置３が接続される。印刷装置３は、印刷メディアが装着され、装着された印刷メディアに印刷する機能を有する装置である。印刷メディアは、紙媒体の用紙に限らず、フィルムや、繊維等の印刷装置３に装着可能であり、印刷装置３が印刷を行うことが可能な媒体を意味する。印刷装置３の構成、機能、及び、処理については後に詳述する。
なお、印刷装置３に印刷メディアが装着されるとは、印刷装置３が印刷メディアを印刷対象として印刷可能な状態となることを意味し、印刷メディアのタイプ（単票紙や、ロール紙等。）によって、その態様は異なる。
ローカルエリアネットワークＬＮａには、制御装置５（情報処理装置）、及び、画像処理装置６が接続される。これら装置の構成、機能、及び、処理については後に詳述する。
【００２１】
図１に示すように、情報処理システム１は、グローバルネットワークＧＮに接続されたメディアサーバー８を備える。メディアサーバー８は、少なくとも、印刷装置３、制御装置５、及び、後述する端末１１をクライアントとして、これら装置と通信可能なサーバー装置である。なお、図１では、メディアサーバー８を、１つのブロックによって表現するが、これはメディアサーバー８が単一のサーバー装置により構成されることを意味するものではない。例えば、メディアサーバー８は、複数のサーバー装置を含んで構成されたものでもよい。すなわち、メディアサーバー８は、後述する処理を実行可能であれば、どのような構成であってもよい。メディアサーバー８の構成、機能、及び、処理については後に詳述する。
【００２２】
図１に示すように、情報処理システム１は、グローバルネットワークＧＮに接続された複数のメディア提供システム１０を備える。メディア提供システム１０は、印刷メディアを提供する主体が管理する施設に設けられたシステムである。印刷メディアを提供する主体は、例えば、印刷メディアを製造し、販売するベンダーである。印刷メディアを提供する主体が管理する施設は、例えば、上記ベンダーのオフィスである。以下、印刷メディアを提供する主体を、便宜的に、「メディア提供者」という。メディア提供者は、印刷メディアを提供する組織、及び、組織に属する人間のいずれも含む概念である。
【００２３】
メディア提供システム１０は、ローカルエリアネットワークＬＮｂを備える。ローカルエリアネットワークＬＮｂは、メディア提供システム１０が設けられた施設に構築されたコンピューターネットワークである。ローカルエリアネットワークＬＮｂには、通信装置４ｂが接続される。通信装置４ｂは、通信装置４ａと同等の機能を有する装置である。
ローカルエリアネットワークＬＮｂには、複数の端末１１が接続される。端末１１は、液晶表示パネル等の表示手段、マウスや、キーボード等の入力手段を少なくとも備えるコンピューターである。端末１１には、ブラウザーがインストールされている。端末１１は、メディア提供者が使用する。
【００２４】
図２は、メディアサーバー８の機能的構成を示すブロック図である。
図２に示すように、メディアサーバー８は、サーバー制御部２０と、サーバー通信部２１と、サーバー記憶部２２とを備える。
サーバー制御部２０は、ＣＰＵや、ＲＯＭ、ＲＡＭ、ＡＳＩＣ、信号処理回路等を備え、メディアサーバー８の各部を制御する。サーバー制御部２０は、例えばＣＰＵが、ＲＯＭや後述するサーバー記憶部２２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
サーバー通信部２１は、サーバー制御部２０の制御で、グローバルネットワークＧＮと接続する装置と所定の通信規格に従って通信する。
サーバー記憶部２２は、不揮発性メモリーを含んで構成される記憶装置を備え、各種データを記憶する。サーバー記憶部２２は、メディアリスト２２ａと、カラープロファイル管理データベース２２ｂとを記憶する。メディアリスト２２ａ、及び、カラープロファイル管理データベース２２ｂについては後述する。
【００２５】
図３は、印刷システム２が備える装置の機能的構成を示すブロック図である。
【００２６】
制御装置５は、ローカルエリアネットワークＬＮａにおいて、画像処理装置６、及び、印刷装置３をクライアントとするサーバーとして機能するコンピューターである。
図３に示すように、制御装置５は、制御装置制御部３０（制御装置）と、制御装置通信部３１と、制御装置記憶部３２とを備える。
制御装置制御部３０は、ＣＰＵや、ＲＯＭ、ＲＡＭ、ＡＳＩＣ、信号処理回路等を備え、制御装置５の各部を制御する。制御装置制御部３０は、例えばＣＰＵが、ＲＯＭや後述する制御装置記憶部３２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
制御装置通信部３１は、制御装置制御部３０の制御で、ローカルエリアネットワークＬＮａ、及び、グローバルネットワークＧＮと接続する装置と所定の通信規格に従って通信する。
【００２７】
制御装置記憶部３２は、ＥＥＰＲＯＭ等の不揮発性メモリーを備え、各種データを記憶する。
制御装置記憶部３２は、抽象化情報記憶部３２１を有する。抽象化情報記憶部３２１は、抽象化情報テーブル３２１ａを記憶する。抽象化情報テーブル３２１ａについては後述する。
制御装置記憶部３２は、実体記憶部３２２を有する。実体記憶部３２２は、設定値実体テーブル３２２ａと、カラープロファイル実体テーブル３２２ｂとを記憶する。設定値実体テーブル３２２ａ、及び、カラープロファイル実体テーブル３２２ｂについては後述する。
制御装置５には、印刷管理プログラム３２ａがインストールされる。制御装置制御部３０は、印刷管理プログラム３２ａを読み出して実行し、印刷管理プログラム３２ａの機能によって、後述する各種処理を実行する。
【００２８】
印刷装置３は、異なる種類の印刷メディアが装着可能であり、装着された印刷メディアに、インクジェットヘッドによりインクを吐出してドットを形成し、画像を印刷するインクジェットプリンターである。
特に、本実施形態に係る印刷装置３は、いわゆるＬＦＰ（Large Format Printer）であり、印刷メディアとして、大型の媒体を装着可能である。一例として、印刷装置３には、印刷メディアとして、単票紙の場合は「Ａ０」サイズの用紙を装着可能であり、また、ロール紙の場合は用紙幅が「９００ミリ」を超える用紙を装着可能である。
【００２９】
図３に示すように、印刷装置３は、印刷装置制御部４０と、印刷装置通信部４１と、印刷装置記憶部４２と、印刷部４３とを備える。
印刷装置制御部４０は、ＣＰＵや、ＲＯＭ、ＲＡＭ、ＡＳＩＣ、信号処理回路等を備え、印刷装置３の各部を制御する。印刷装置制御部４０は、例えばＣＰＵが、ＲＯＭや後述する印刷装置記憶部４２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
印刷装置通信部４１は、印刷装置制御部４０の制御で、ローカルエリアネットワークＬＮａ、及び、グローバルネットワークＧＮと接続する装置と所定の通信規格に従って通信する。
印刷装置記憶部４２は、ＥＥＰＲＯＭ等の不揮発性メモリーを備え、各種データを記憶する。印刷装置記憶部４２は、設定ファイル４２ａを記憶する。設定ファイル４２ａについては後述する。
印刷装置３には、ファームウェア４２ｂがインストールされる。印刷装置制御部４０は、ファームウェア４２ｂを読み出して実行し、ファームウェア４２ｂの機能により、後述する各種処理を実行する。
【００３０】
印刷部４３は、印刷装置３に装着された印刷メディアにインクを吐出してドットを形成するインクジェットヘッドや、インクジェットヘッドに対向する位置に設けられて印刷メディアを支持するプラテン、インクジェットヘッドとプラテンに位置する印刷メディアとの距離を適正に保つための吸引ファン、インクジェットヘッドを走査するキャリッジ、印刷メディアを搬送する搬送機構、搬送機構により搬送される印刷メディアに作用するテンションを調整するテンション機構、インクが付着した印刷メディアを乾燥するヒーター等を備える。印刷装置制御部４０は、印刷部４３を制御して、印刷装置３に装着された印刷メディアに画像を印刷する。
【００３１】
印刷装置３は、複数の印刷モードを備える。印刷モードは、印刷解像度と、パス数との組み合わせごとに存在する。パス数とは、印刷メディアへの印刷に際し、印刷メディアにおける同一の領域に画像を印刷するときに行われるインクジェットヘッドのパスの回数を意味する。印刷解像度、及び、パス数は、ユーザーにより設定可能であり、印刷解像度、及び、パス数が設定されることにより、印刷モードが決定する。
【００３２】
画像処理装置６は、印刷装置３との関係でホストコンピューターとして機能するコンピューターである。
図３に示すように、画像処理装置６は、画像処理装置制御部５０と、画像処理装置通信部５１と、画像処理装置記憶部５２とを備える。
画像処理装置制御部５０は、ＣＰＵや、ＲＯＭ、ＲＡＭ、ＡＳＩＣ、信号処理回路等を備え、画像処理装置６の各部を制御する。画像処理装置制御部５０は、例えばＣＰＵが、ＲＯＭや後述する画像処理装置記憶部５２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
画像処理装置通信部５１は、画像処理装置制御部５０の制御で、ローカルエリアネットワークＬＮａ、及び、グローバルネットワークＧＮと接続する装置と所定の通信規格に従って通信する。
画像処理装置記憶部５２は、ＥＥＰＲＯＭ等の不揮発性メモリーを備え、各種データを記憶する。
画像処理装置６には、画像処理プログラム５２ａがインストールされる。画像処理装置制御部５０は、画像処理プログラム５２ａを読み出して実行し、画像処理プログラム５２ａの機能により、後述する各種処理を実行する。
【００３３】
画像処理プログラム５２ａは、印刷装置３に印刷させる画像のラスターデータを生成するＲＩＰ（Raster image Processor）ソフトウェアを含む。ラスターデータは、ドットマトリックス状に配置されたドットのそれぞれについて、印刷装置３が吐出可能なインクの色（例えば、シアン（Ｃ）、マゼンダ（Ｍ）、黄色（Ｙ）、黒色（Ｋ）。）のそれぞれの度合いを所定階調の階調値として保持するデータである。
画像処理装置制御部５０は、ＲＩＰソフトウェアの機能により、カラーカラープロファイルを用いてラスターデータを生成する。カラープロファイルとしては例えばＩＣＣ（International Color Consortium）プロファイルが広く用いられている。ラスターデータを生成する際に用いるカラープロファイルとして適切なものは、ラスターデータに基づいて印刷を実行させる印刷装置３の機種と、印刷装置３が印刷対象とする印刷メディアと、印刷装置３の印刷モードとの組み合わせによって異なる。
【００３４】
ところで、上述したように、印刷装置３の印刷装置記憶部４２は、設定ファイル４２ａを記憶する。設定ファイル４２ａとは、設定項目を識別する情報（以下、「設定項目識別情報」という。）と、設定項目に設定された設定値とが対応付けて記述されたファイルである。設定項目は、印刷装置３による印刷メディアへの印刷に供する機構に関する項目を含む。本実施形態では、設定項目として、プラテンギャップ項目と、テンション項目と、吸引力項目と、ヒーター温度項目とが存在する。
【００３５】
プラテンギャップ項目は、インクジェットヘッドとプラテンとの離間距離（以下、「プラテンギャップ」という。）に関する設定項目である。プラテンギャップが取り得る範囲は、印刷装置３の機種によって異なる。プラテンギャップ項目に設定される設定値は、プラテンギャップを示す値である。
テンション項目は、テンション機構により印刷メディアに作用させるテンション（以下、単に、「テンション」という。）に関する設定項目である。本実施形態では、テンションの度合いが、レベルによって段階的に表される。レベルの段階数は、印刷装置３の機種によって異なる。テンション項目に設定される設定値は、テンションのレベルである。
吸引力項目は、吸引ファンの吸引力に関する設定項目である。本実施形態では、吸引ファンの吸引力の度合いが、レベルによって段階的に表される。レベルの段階数は、印刷装置３の機種によって異なる。吸引力項目に設定される設定値は、吸引ファンの吸引力のレベルである。
ヒーター温度項目は、ヒーターの温度に関する設定項目である。ヒーターの温度が取り得る範囲は、印刷装置３の機種によって異なる。ヒーター温度項目に設定される設定値は、ヒーターの温度を示す値である。
なお、本実施形態で説明する設定項目は、説明を単純化するための一例であり、例示した設定項目に加えて、又は、例示した設定項目の少なくとも一部に代えて、他の設定項目が存在してもよい。設定項目としては、例えば、搬送機構が印刷メディアを搬送するときの搬送速度に関する設定項目や、インクジェットヘッドのクリーニングの頻度に関する設定項目等がある。
【００３６】
印刷装置３は、印刷メディアに印刷する場合、設定項目に設定された設定値を反映して、印刷を実行する。例えば、印刷装置３は、印刷メディアへの印刷に際し、プラテンギャップをプラテンギャップ項目に設定された設定値にし、テンションのレベルをテンション項目に設定された設定値にし、吸引ファンの吸引力のレベルを吸引力項目の設定値にし、ヒーターの温度をヒーター温度項目の設定値にした上で、印刷を実行する。
そして、設定項目に設定すべき適切な設定値は、印刷装置３の機種と、印刷装置３が印刷対象とする印刷メディアとの組み合わせによって異なる。印刷メディアによって特性（材質や、サイズ、強度等。）が異なり、また、印刷装置３の機種によって印刷装置３の仕様が異なるため、印刷装置３の機種と、印刷装置３に装着された印刷メディアとの組み合わせによって、どのような態様で印刷した場合に印刷品質が向上するかが異なるからである。
【００３７】
この点に関し、メディア提供者が、メディア提供者が提供する印刷メディアのそれぞれについて、印刷装置３の機種ごとに、設定項目に設定すべき適切な設定値を決定し、設定項目ごとの適切な設定値が記述されたデータを、メディアサーバー８や、制御装置５等の所定の装置に記憶させることも可能である。この場合、当該所定の装置には、印刷メディアと、印刷装置３の機種との組み合わせごとに、設定項目ごとの適切な設定値が記述されたデータが記憶されることになる。この場合、以下の課題がある。すなわち、印刷装置３の機種、及び、印刷メディアは、それぞれ、数多く存在し、また、今後も増大するものと想定されるため、当該所定の装置に記憶すべきデータのデータ量が膨大となるという課題である。
【００３８】
また、上述したように、画像処理装置６は、カラープロファイルに基づいて、印刷装置３に印刷させる画像のラスターデータを生成する。上述したように、ラスターデータを生成する際に画像処理装置６が用いるカラープロファイルとして適切なものは、ラスターデータに基づいて印刷を実行させる印刷装置３の機種と、印刷装置３が印刷対象とする印刷メディアと、印刷装置３の印刷モードとの組み合わせによって異なる。ここで、上述したように、印刷装置３の機種、及び、印刷メディアは、それぞれ、数多く存在し、また、今後も増大するものと想定されるため、メディアサーバー８や、制御装置５等の所定の装置にカラープロファイルを記憶し、画像処理装置６が必要に応じて、当該所定の装置と通信し、適切なカラープロファイルを取得できるようなシステムとすることが適切である。そして、当該所定の装置に、カラープロファイルを記憶するようにした場合、以下の課題がある。すなわち、当該所定の装置に、印刷装置３の機種と、印刷メディアと、印刷モードとの組み合わせごとのカラープロファイルを記憶させるようにした場合、当該所定の装置に記憶すべきデータのデータ量が膨大になるという課題である。特に、カラープロファイルは、データ量が大きいため、所定の装置に、印刷装置３の機種と、印刷メディアと、印刷モードとの組み合わせごとのカラープロファイルを記憶させるようにした場合、記憶すべきデータのデータ量が非常に膨大になる。
以上を踏まえ、情報処理システム１の各装置は、以下の構成を有し、以下の処理を実行する。
【００３９】
＜メディアリスト２２ａへの印刷メディア情報の登録が行われる場合の情報処理システム１の処理＞
まず、メディア提供者により、メディアリスト２２ａに印刷メディア情報（後述）が登録される場合の情報処理システム１の各装置の動作について説明する。
【００４０】
図４は、メディアリスト２２ａに印刷メディア情報を登録する場合の端末１１、及び、メディアサーバー８の動作を示すフローチャートである。図４のフローチャートＦＡは端末１１の動作を示し、フローチャートＦＢはメディアサーバー８の動作を示す。
図４のフローチャートを用いた説明では、メディア提供者が、メディア提供者が提供する特定の印刷メディアを特定の機種の印刷装置３が印刷対象とする場合に、当該特定の機種の印刷装置３の設定項目に設定すべき適切な設定値、及び、使用すべきカラープロファイルに関する印刷メディア情報を登録しようとしているものとする。
【００４１】
なお、詳細な説明は省略するが、メディアサーバー８と、他の装置との間では、既存の暗号化技術や、仮想専用線技術等により、セキュアな通信が行われる。また、メディアサーバー８は、他の装置からアクセスがあった場合に、必要に応じて適切に認証を行う。
【００４２】
図４のフローチャートＦＡに示すように、印刷メディア情報を登録する場合、メディア提供者は、端末１１のブラウザーを起動し、メディアサーバー８の所定のＵＲＬへのアクセスを指示する（ステップＳ１）。ＵＲＬは、所定の方法で、メディア提供者に事前に通知される。
メディア提供者の指示に応じて、端末１１は、対応するＨＴＴＰリクエストをメディアサーバー８に送信する（ステップＳＡ１）。
【００４３】
図４のフローチャートＦＢに示すように、メディアサーバー８のサーバー制御部２０は、サーバー通信部２１を制御して、ＨＴＴＰリクエストを受信する（ステップＳＢ１）。
次いで、サーバー制御部２０は、受信したＨＴＴＰに対して、機種入力画面Ｇ１（図５）を表示させるＨＴＭＬファイルを生成し、端末１１に送信する（ステップＳＢ２）。
【００４４】
図４のフローチャートＦＡに示すように、端末１１は、ＨＴＭＬファイルを受信する（ステップＳＡ２）。
次いで、端末１１は、受信したＨＴＭＬファイルに基づいて、表示手段に機種入力画面Ｇ１を表示する（ステップＳＡ３）。
【００４５】
図５は、機種入力画面Ｇ１を示す図である。
図５に示すように、機種入力画面Ｇ１は、印刷装置３の機種を識別する情報（以下、「機種識別情報」という。）を入力する入力欄Ｎ１を備える。入力欄Ｎ１は、プルダウンメニューとなっており、プルダウンメニューには、選択可能な機種の機種識別情報が項目として一覧表示され、プルダウンメニューに一覧表示された機種識別情報から、１つの機種識別情報を選択することにより、入力欄Ｎ１に機種識別情報を入力可能である。機種入力画面Ｇ１は、入力欄Ｎ１への入力を確定する確定ボタンＢＫ１を備える。
メディア提供者は、印刷メディア情報を登録する対象の印刷装置３の機種を示す機種識別情報を、機種入力画面Ｇ１に入力し、確定ボタンＢＫ１を操作する（ステップＳ２）。
以下、メディア提供者が入力欄Ｎ１に入力した機種識別情報が示す機種を「選択機種」という。
【００４６】
確定ボタンＢＫ１の操作に応じて、端末１１は、ＨＴＭＬファイルに実装されたスクリプトの機能により、メディア提供者に入力された機種識別情報を、メディアサーバー８に送信する（ステップＳＡ４）。
【００４７】
図４のフローチャートＦＢに示すように、メディアサーバー８のサーバー制御部２０は、サーバー通信部２１を制御して、機種識別情報を受信する（ステップＳＢ３）。
次いで、サーバー制御部２０は、受信した機種識別情報に基づいて、機種関連情報を取得し、取得した機種関連情報に基づいて、印刷メディア情報登録画面Ｇ２（図６）を表示させるＨＴＭＬファイルを生成し、端末１１に送信する（ステップＳＢ４）。機種関連情報とは、印刷メディア情報登録画面Ｇ２を表示させるＨＴＭＬファイルの生成に必要な情報である。機種関連情報は、機種識別情報と対応付けて、サーバー記憶部２２が記憶する所定のデータベースに登録されている。
【００４８】
図４のフローチャートＦＡに示すように、端末１１は、ＨＴＭＬファイルを受信する（ステップＳＡ５）。
次いで、端末１１は、受信したＨＴＭＬファイルに基づいて、表示手段に印刷メディア情報登録画面Ｇ２を表示する（ステップＳＡ６）。
【００４９】
図６は、印刷メディア情報登録画面Ｇ２を示す図である。
図６に示すように、印刷メディア情報登録画面Ｇ２は、印刷メディアを識別する情報（以下、「印刷メディア識別情報」という。）を入力する入力欄Ｎ２ａを備える。メディア提供者は、印刷メディア情報を登録する対象の印刷メディアの印刷メディア識別情報を入力欄Ｎ２ａに入力する。
以下、印刷メディア情報を登録する対象の印刷メディアを、適宜、「登録対象印刷メディア」という。
【００５０】
図６に示すように、印刷メディア情報登録画面Ｇ２は、プラテンギャップ項目に係る設定値言葉情報を入力する入力欄Ｎ２ｂ、テンション項目に係る設定値言葉情報を入力する入力欄Ｎ２ｃ、吸引力項目に係る設定値言葉情報を入力する入力欄Ｎ２ｄ、及び、ヒーター温度項目に係る設定値言葉情報を入力する入力欄Ｎ２ｅを備える。
以下、設定値言葉情報について、プラテンギャップ項目を例にして、詳述する。
【００５１】
ここで、１の機種の印刷装置３のプラテンギャップについて、プラテンギャップが取り得る範囲が、「１．０ミリ」〜「９．０ミリ」であるものとする。この場合に、当該１の機種の印刷装置３のプラテンギャップ項目について、設定可能な設定値の候補が事前に定められている。本例では、当該１の機種の印刷装置３のプラテンギャップ項目に設定可能な設定値の候補として、「１．０ミリ」、「３．０ミリ」、「５．０ミリ」、「７．０ミリ」、「９．０ミリ」の５つの値が、事前に定められているものとする。
そして、設定値の候補のそれぞれに対して、設定値言葉情報が事前に割り振られる。設定値言葉情報は、設定値の候補を、抽象化して表現した言葉である。
本例においては、設定値の候補：「１．０ミリ」に対して設定値言葉情報として「狭い」が割り振られ、設定値の候補：「３．０ミリ」に対して設定値言葉情報として「やや狭い」が割り振られ、設定値の候補：「５．０ミリ」に対して設定値言葉情報として「普通」が割り振られ、設定値の候補：「７．０ミリ」に対して設定値言葉情報として「やや広い」が割り振られ、設定値の候補：「９．０ミリ」に対して設定値言葉情報として「広い」が割り振られているものとする。
【００５２】
本例で示すように、設定値言葉情報は、対応する設定値の候補を設定項目に設定した場合における設定項目の状態の程度を文言によって形容したものである。すなわち、設定値言葉情報は、対応する設定値の候補を設定項目に設定した場合における設定項目の状態の程度を、人間が直感的、感覚的に認識できるような言葉とされる。また、設定値の候補のそれぞれには、形容の異なる言葉からなる設定値言葉情報が割り振られる。
本例では、上述したように、設定値の候補：「１．０ミリ」に対して、設定値言葉情報：「狭い」が割り振られる。ここで、プラテンギャップが取り得る範囲が「１．０ミリ」〜「９．０ミリ」であること、及び、他の設定値の候補のそれぞれに対して設定値言葉情報：「やや狭い」、設定値言葉情報：「普通」、設定値言葉情報「やや広い」、設定値言葉情報「広い」が割り振られていることを踏まえると、以下のことが言える。すなわち、設定値言葉情報：「狭い」は、プラテン設定項目に、設定値「１．０ミリ」が設定された場合におけるプラテンギャップの状態（設定項目の状態）の程度を文言によって形容したものといえる。また、人間は、設定値言葉情報：「狭い」を認識することにより、プラテンギャップ設定項目に、設定値言葉情報：「狭い」に対応する設定値の候補が設定された場合に、プラテンギャップの状態が、比較的、狭くなることを直感的、感覚的に認識できる。
【００５３】
以上、プラテンギャップ項目を例にして、設定値言葉情報を説明したが、本実施形態で例示する他の設定項目については、例えば、以下の設定値言葉情報が割り振られる。
例えば、１の機種の印刷装置３のテンションのレベルとして、レベルＬ１〜レベルＬ９の９段階のレベルがあるものとする。なお、レベルＬ１からレベルＬ９に向かって、段階的にテンションが強くなる。また、当該１の機種の印刷装置３のテンション項目に設定可能な設定値の候補として、「レベルＬ１」、「レベルＬ３」、「レベルＬ５」、「レベルＬ７」、「レベルＬ９」の５つの値が、事前に定められているものとする。この場合において、例えば、設定値の候補：「レベルＬ１」に設定値言葉情報：「弱い」が割り振られ、設定値の候補：「レベルＬ３」に設定値言葉情報「やや弱い」が割り振られ、設定値の候補：「レベルＬ５」に設定値言葉情報：「普通」が割り振られ、設定値の候補：「レベルＬ７」に設定値言葉情報：「やや強い」が割り振られ、設定値の候補：「レベルＬ９」に設定値言葉情報：「強い」が割り振られる。
【００５４】
また例えば、１の機種の印刷装置３の吸引力のレベルとして、レベルＬ１〜レベルＬ９の９段階のレベルがあるものとする。なお、レベルＬ１からレベルＬ９に向かって、段階的に吸引力が強くなる。また、当該１の機種の印刷装置３の吸引力項目に設定可能な設定値の候補として、「レベルＬ１」、「レベルＬ３」、「レベルＬ５」、「レベルＬ７」、「レベルＬ９」の５つの値が、事前に定められているものとする。この場合において、例えば、設定値の候補：「レベルＬ１」に設定値言葉情報：「弱い」が割り振られ、設定値の候補：「レベルＬ３」に設定値言葉情報「やや弱い」が割り振られ、設定値の候補：「レベルＬ５」に設定値言葉情報：「普通」が割り振られ、設定値の候補：「レベルＬ７」に設定値言葉情報：「やや強い」が割り振られ、設定値の候補：「レベルＬ９」に設定値言葉情報：「強い」が割り振られる。
【００５５】
また例えば、１の機種の印刷装置３のヒーターの温度が取り得る範囲が、「３０℃」〜「７０℃」であるものとする。また、当該１の機種の印刷装置３のヒーター温度項目に設定可能な設定値の候補として、「３０℃」、「４０℃」、「５０℃」、「６０℃」、「７０℃」の５つの値が、事前に定められているものとする。この場合において、例えば、設定値の候補：「３０℃」に設定値言葉情報：「冷たい」が割り振られ、設定値の候補：「４０℃」に設定値言葉情報「やや冷たい」が割り振られ、設定値の候補：「５０℃」に設定値言葉情報：「普通」が割り振られ、設定値の候補：「６０℃」に設定値言葉情報：「やや熱い」が割り振られ、設定値の候補：「７０℃」に設定値言葉情報：「熱い」が割り振られる。
【００５６】
設定値言葉情報は、「抽象化表現情報」に相当する。
【００５７】
さて、図６に示すように、印刷メディア情報登録画面Ｇ２は、プラテンギャップ項目に係る設定値言葉情報を入力する入力欄Ｎ２ｂを有する。入力欄Ｎ２ｂは、プルダウンメニューとなっている。入力欄Ｎ２ｂに係るプルダウンメニューには、選択機種（ユーザーが機種入力画面Ｇ１の入力欄Ｎ１に入力した機種識別情報が示す機種。）について、プラテンギャップ項目に設定可能な設定値の候補に割り振られた設定値言葉情報のそれぞれが項目として一覧表示される。
メディア提供者は、入力欄Ｎ２ｂに係るプルダウンメニューに一覧表示された設定値言葉情報の中から、プラテンギャップ項目に設定することが適切な設定値に対応する設定値言葉情報を選択する。設定値言葉情報の選択に応じて、入力欄Ｎ２ｂにメディア提供者が選択した設定値言葉情報が入力される。なお、事前に、選択機種の印刷装置３による印刷メディアへの印刷に関するテストや、シミュレーション等が行われており、メディア提供者は、入力欄Ｎ２ｂに係るプルダウンメニューに一覧表示された設定値言葉情報の中から、適切な設定値言葉情報を選択する。
メディア提供者は、テンション項目に係る入力欄Ｎ２ｃ、吸引力項目に係る入力欄Ｎ２ｄ、ヒーター温度項目に係る入力欄Ｎ２ｅについても、それぞれの設定項目に設定することが適切な設定値に対応する設定値言葉情報を入力する。
以上のように、メディア提供者は、印刷メディア情報の登録に際し、設定項目のそれぞれに設定すべき設定値を指定する際に、設定値の候補に割り振られた設定値言葉情報を選択すればよく、具体的な設定値を入力する必要がない。このため、メディア提供者の利便性が高い。
【００５８】
図６に示すように、印刷メディア情報登録画面Ｇ２は、印刷装置３の印刷モードごとに、入力欄Ｎ２１を備える。
入力欄Ｎ２１は、それぞれ、入力欄Ｎ２１ａと、入力欄Ｎ２１ｂと、入力欄Ｎ２１ｃとを備える。
入力欄Ｎ２１は、カラープロファイル言葉情報を入力する入力欄である。カラープロファイル言葉情報とは、色相言葉情報と、明度言葉情報と、彩度言葉情報との組み合わせからなる情報である。入力欄Ｎ２１ａは色相言葉情報を入力する入力欄であり、入力欄Ｎ２１ｂは明度言葉情報を入力する入力欄であり、入力欄Ｎ２１ｃは彩度言葉情報を入力する入力欄である。
【００５９】
ここで、カラープロファイルに基づくラスターデータの生成の際は、赤色（Ｒ）、緑色（Ｇ）、青色（Ｂ）の各色の色成分の度合いを所定階調の階調値として保持するドット（以下、「変換前ドット」という。）により構成されるビットマップデータが、印刷装置３が吐出可能なインクの色（例えば、シアン（Ｃ）、マゼンダ（Ｍ）、黄色（Ｙ）、黒色（Ｋ）。）のそれぞれの度合いを所定階調の階調値として保持するドット（以下、「変換後ドット」という。）により構成されるラスターデータへと変換される。
【００６０】
そして、色相言葉情報は、変換前ドットから変換後ドットへの変換に際し、変換後ドットの色相の傾向を文言によって形容したものである。すなわち、色相言葉情報は、色相言葉情報に対応する色相を、人間が直感的、感覚的に認識できるような言葉とされる。
本例では、色相言葉情報として、色相が赤色であることを示す色相言葉情報：「赤色」、色相が紫色であることを示す色相言葉情報：「紫色」、色相が青色であることを示す色相言葉情報：「青色」、色相が緑色であることを示す色相言葉情報：「緑色」、色相が黄色であることを示す色相言葉情報：「黄色」が存在する。変換後ドットの色相の傾向が「赤色」である場合、変換前ドットから変換後ドットへの変換に際し、変換に用いられる係数が調整され、これにより、変換後ドットの色相の傾向が「赤色」とされる。
【００６１】
また、明度言葉情報は、変換前ドットから変換後ドットへの変換に際し、変換後ドットの明度の傾向を文言によって形容したものである。すなわち、明度言葉情報は、明度言葉情報に対応する明度を、人間が直感的、感覚的に認識できるような言葉とされる。本例では、明度言葉情報として、明度言葉情報：「暗い」、明度言葉情報：「やや暗い」、明度言葉情報：「普通」、明度言葉情報：「やや明るい」、明度言葉情報：「明るい」が存在する。これら明度言葉情報のうち、明度言葉情報：「暗い」が最も低い明度を示し、明度言葉情報：「暗い」、明度言葉情報：「やや暗い」、明度言葉情報：「普通」、明度言葉情報：「やや明るい」、明度言葉情報：「明るい」の順番で、明度言葉情報が示す明度が高くなる。
【００６２】
また、彩度言葉情報は、変換前ドットから変換後ドットへの変換に際し、変換後ドットの彩度の傾向を文言によって形容したものである。すなわち、彩度言葉情報は、彩度言葉情報に対応する彩度を、人間が直感的、感覚的に認識できるような言葉とされる。本例では、彩度言葉情報として、彩度言葉情報：「くすみ」、彩度言葉情報：「ややくすみ」、彩度言葉情報：「普通」、彩度言葉情報：「やや鮮やか」、彩度言葉情報：「鮮やか」が存在する。これら彩度言葉情報のうち、彩度言葉情報：「くすみ」が最も低い彩度を示し、彩度言葉情報：「暗い」、彩度言葉情報：「やや暗い」、彩度言葉情報：「普通」、彩度言葉情報：「やや明るい」、彩度言葉情報：「明るい」の順番で、彩度言葉情報が示す彩度が高くなる。
【００６３】
カラープロファイル言葉情報は、「抽象化表現情報」に相当する。
入力欄Ｎ２１ａ、入力欄Ｎ２１ｂ、及び、入力欄Ｎ２１ｃのそれぞれは、プルダウンメニューとなっている。入力欄Ｎ２１ａは、選択可能な色相言葉情報が、項目として一覧表示される。入力欄Ｎ２１ｂは、選択可能な明度言葉情報が、項目として一覧表示される。入力欄Ｎ２１ｃは、選択可能な彩度言葉情報が、項目として一覧表示される。メディア提供者は、入力欄のそれぞれについて、プルダウンメニューに一覧表示された情報から、１つの情報を選択する。
【００６４】
図６に示すように、印刷メディア情報登録画面Ｇ２は、当該画面に設けられた入力欄に対する入力を確定する確定ボタンＢＫ２を備える。
メディア提供者は、印刷メディア情報登録画面Ｇ２の各入力欄に情報を入力し、確定ボタンＢＫ２を操作する（ステップＳ３）。
【００６５】
図４のフローチャートＦＡに示すように、確定ボタンＢＫ２の操作に応じて、端末１１は、ＨＴＭＬファイルに実装されたスクリプトの機能により、印刷メディア情報登録画面Ｇ２の各入力欄に入力された情報を、メディアサーバー８に送信する（ステップＳＡ７）。
【００６６】
図４のフローチャートＦＢに示すように、メディアサーバー８のサーバー制御部２０は、サーバー通信部２１を制御して、情報を受信する（ステップＳＢ５）。
次いで、サーバー制御部２０は、ステップＳＢ５で受信した情報に基づいて、印刷メディア情報を生成する（ステップＳＢ６）。
以下、印刷メディア情報について詳述する。
【００６７】
図７は、印刷メディア情報の一例を示す図である。
印刷メディア情報は、第１領域Ａ１と、第１領域Ａ１に続く第２領域Ａ２とを有する。
１の機種の印刷装置３と、１の印刷メディアとの組み合わせに対応する印刷メディア情報の第１領域Ａ１には、当該１の機種の印刷装置３の設定項目のそれぞれに対応する設定値言葉情報が、第１区切文字で区切られて、予め定められた設定項目の順番で配列される。また、印刷メディア情報が有する設定値言葉情報のそれぞれは、対応する設定項目に設定可能な設定値の候補のうち、設定項目に設定することが適切な候補に対応する設定値言葉情報である。
図７で例示する印刷メディア情報の第１領域Ａ１には、プラテンギャップ項目、テンション項目、吸引力項目、ヒーター温度項目の順番で、各設定項目に対応する設定値言葉情報が、第１区切文字（図７の例では、文字：「／」。）で区切られて、配列されている。
【００６８】
また、１の機種の印刷装置３と、１の印刷メディアとの組み合わせに対応する印刷メディア情報の第２領域Ａ２には、当該１の機種の印刷装置３が備える印刷モードのそれぞれに対応するカラープロファイル言葉情報が、第１区切文字で区切られて、予め定められた印刷モードの順番で配列される。図７に示すように、カラープロファイル言葉情報は、色相言葉情報、明度言葉情報、及び、彩度言葉情報が、この順番で、第１区切文字とは異なる第２区切文字（図７の例では、文字：「・」）で区切られて、配列された情報である。印刷メディア情報が有するカラープロファイル言葉情報のそれぞれは、印刷装置３が対応する印刷モードのときに、画像処理装置６が使用することが適切なカラープロファイルに対応するカラープロファイル言葉情報である。
図７で例示する印刷メディア情報の第２領域Ａ２には、２つの印刷モードに対応するカラープロファイル言葉情報が、予め定められた印刷モードの順番で、第１区切文字で区切られて、並んで配列されている。
【００６９】
ステップＳＢ６において、サーバー制御部２０は、ステップＳＢ５で受信した情報に基づいて、以下の処理を実行する。すなわち、ステップＳＢ５で受信した情報は、設定項目のそれぞれについてメディア提供者が選択した設定値言葉情報を含む。サーバー制御部２０は、ステップＳＢ５で受信した情報に含まれる設定値言葉情報を、選択機種ごとに定められた所定の順番で並べることにより、印刷メディア情報の第１領域Ａ１の部分を生成する。また、ステップＳＢ５で受信した情報は、印刷モードのそれぞれについてメディア提供者が選択したカラープロファイル言葉情報（色相言葉情報、明度言葉情報、及び、彩度言葉情報の組み合わせ。）を含む。サーバー制御部２０は、ステップＳＢ５で受信した情報に含まれるカラープロファイル言葉情報を、選択機種ごとに定められた所定の順番で並べることにより、印刷メディア情報の第２領域Ａ２の部分を生成する。
ここで、メディア提供者が選択した設定値言葉情報は、選択機種の印刷装置３と、登録対象印刷メディアとの組み合わせにおいて、設定項目に設定することが適切な設定値の候補に対応する設定値言葉情報である。また、メディア提供者が選択したカラープロファイル言葉情報は、選択機種の印刷装置３と、登録対象印刷メディアとの組み合わせにおいて、画像処理装置６が使用することが適切なカラープロファイルのカラープロファイル言葉情報である。
【００７０】
以上のように、印刷メディア情報の第１領域Ａ１には、設定値言葉情報が、予め定められた設定項目の順番に従って配列される。そして、印刷メディア情報が含む設定値言葉情報のそれぞれは、対応する設定項目について設定することが適切な設定値の候補に対応する設定値言葉情報である。また、印刷メディア情報の第２領域Ａ２には、カラープロファイル言葉情報が、予め定められた印刷モードの順番に従って配列される。
印刷メディア情報がこのような構成のため、以下の効果を奏する。
すなわち、人間が、１の機種の印刷装置３と、１の印刷メディアとの組み合わせに対応する印刷メディア情報の第１領域Ａ１を認識したときに、当該１の機種の印刷装置３の設定項目に設定すべき設定値の態様を、感覚的、直感的に認識でき、また、印刷メディアの特性（材質や、サイズ、強度等。）を推測することができる。同様に、人間が、１の機種の印刷装置３と、１の印刷メディアとの組み合わせに対応する印刷メディア情報の第２領域Ａ２を認識したときに、当該１の機種の印刷装置３の各印刷モードについて、使用することが適切なカラープロファイルの内容を、感覚的、直感的に認識できる。
また、印刷メディア情報は、設定値言葉情報、及び、カラープロファイル言葉情報が予め定められた順番に従って配列されるという単純な構造のため、設定値言葉情報、及び、カラープロファイル言葉情報を規格化し、設定値言葉情報、及び、カラープロファイル言葉情報が並ぶ順番を規格化することによって、印刷メディア情報を規格化することができ、規格化に有利である。
【００７１】
図４のフローチャートＦＢに示すように、ステップＳＢ６で印刷メディア情報を生成した後、サーバー制御部２０は、生成した印刷メディア情報を、メディアリスト２２ａに登録する（ステップＳＢ７）。
メディアリスト２２ａは、印刷装置３の機種と、印刷メディアとの組み合わせごとに、レコードを有するデータベースである。
図８は、メディアリスト２２ａの１件のレコードの内容を示す図である。
図８に示すように、メディアリスト２２ａの１件のレコードは、機種識別情報と、印刷装置提供者識別情報と、印刷メディア識別情報と、印刷メディア情報とを有する。
印刷装置提供者識別情報とは、印刷装置３を製造し販売する企業（例えば、いわゆるプリンターメーカー。）等の、印刷装置３を提供する主体（以下、「印刷装置提供者」という。）を識別する情報である。
【００７２】
ステップＳＢ７において、サーバー制御部２０は、選択機種の機種識別情報と、選択機種の印刷装置３を提供する主体の印刷装置提供者識別情報と、登録対象印刷メディアの印刷メディア識別情報と、ステップＳＢ６で生成した印刷メディア情報とを有するレコードを、メディアリスト２２ａに登録する。なお、メディアサーバー８のサーバー記憶部２２には、印刷装置３の機種ごとに、機種識別情報と対応付けて、印刷装置３を提供する主体の印刷装置提供者識別情報が記憶されている。
このように、メディアリスト２２ａの１件のレコードは、印刷装置提供者識別情報を有する。これにより、メディアリスト２２ａのレコードから、所定のレコードを検索する場合に、印刷装置提供者識別情報をキーとして絞り込みを行うことが可能となり、検索の効率の向上、及び、利便性の向上が図られる。なお、メディアリスト２２ａの１件のレコードが機種識別情報とは独立して印刷装置提供者識別情報を有する構成に代えて、機種識別情報に、印刷装置提供者識別情報を含める構成でもよい。
ステップＳＢ７の処理により、メディアリスト２２ａへの印刷メディア情報の登録が完了する。
【００７３】
なお、以上のように、メディアサーバー８は、メディアリスト２２ａを記憶する。そして、メディアサーバー８を提供する主体は、単一の印刷装置提供者である必要はない。例えば、印刷装置提供者とは別の主体が、複数の異なる印刷装置提供者が提供する印刷装置３の機種に対応するメディアリスト２２ａを記憶するメディアサーバー８を提供する構成でもよい。
【００７４】
次いで、サーバー制御部２０は、登録完了通知画面Ｇ３（図９）を表示させるＨＴＭＬファイルを生成し、端末１１に送信する（ステップＳＢ８）。
【００７５】
図４のフローチャートＦＡに示すように、端末１１は、ＨＴＭＬファイルを受信する（ステップＳＡ８）。
次いで、端末１１は、受信したＨＴＭＬファイルに基づいて、表示手段に登録完了通知画面Ｇ３を表示する（ステップＳＡ９）。
【００７６】
図９は、登録完了通知画面Ｇ３を示す図である。
図９に示すように、登録完了通知画面Ｇ３には、印刷メディア情報、及び、印刷メディア情報の登録が完了したことを示す情報が表示される。メディア提供者は、登録完了通知画面Ｇ３を視認することにより、印刷メディア情報の内容、及び、印刷メディア情報の登録が完了したことを認識できる。
【００７７】
なお、詳細な説明は省略するが、メディア提供者は、任意のタイミングで、所定の方法で、メディアリスト２２ａに登録された印刷メディア情報の内容を変更することができ、また、メディアリスト２２ａに登録されたレコードのうち、特定の印刷メディア情報に対応するレコードを削除できる。
【００７８】
＜印刷装置３により印刷が行われる場合の情報処理システム１の処理＞
次に、印刷装置３により印刷が行われる場合の情報処理システム１の各装置の処理について説明する。
【００７９】
図１０は、印刷装置３による印刷が行われる場合の画像処理装置６、印刷装置３、及び、制御装置５の動作を示すフローチャートである。図１０のフローチャートＦＣは画像処理装置６の動作を示し、フローチャートＦＤは印刷装置３の動作を示し、フローチャートＦＥは制御装置５の動作を示す。
画像処理装置６は、フローチャートＦＣの処理を、画像処理プログラム５２ａを含むプログラム等のソフトウェアと、ＣＰＵ、その他のハードウェアとの協働により実行する。印刷装置３は、フローチャートＦＤの処理を、ファームウェア４２ｂを含むプログラム等のソフトウェアと、ＣＰＵ、その他のハードウェアとの協働により実行する。制御装置５は、フローチャートＦＥの処理を、画像処理プログラム５２ａを含むプログラム等のソフトウェアと、ＣＰＵ、その他のハードウェアとの協働により実行する。
【００８０】
図１０のフローチャートＦＣに示すように、印刷装置３による印刷を行う場合、ユーザーは、所定の方法で、画像処理装置６に対して、印刷の開始を指示する（ステップＳ４）。印刷の開始の指示に際し、ユーザーは、印刷を行わせる印刷装置３を指定する。本実施形態では、印刷装置３ごとに、印刷装置３を識別する識別情報（以下、「印刷装置識別情報」という。）が割り振られており、ユーザーは、所定の方法で、画像処理装置６に対して、印刷装置識別情報を指定する。印刷装置識別情報は、例えば、印刷装置３ごとに固有の情報（例えば、シリアル番号。）でもよく、また例えば、ローカルエリアネットワークＬＮａ内で印刷装置３を識別するために印刷装置３に付与された名称でもよい。
【００８１】
画像処理装置６の画像処理装置制御部５０は、ユーザーによる印刷の開始の指示に応じて、画像処理装置通信部５１を制御して、印刷の開始を通知する印刷開始通知情報を、ユーザーが指定した印刷装置３に送信する（ステップＳＣ１）。
なお、画像処理装置６の画像処理装置記憶部５２は、ローカルエリアネットワークＬＮａに接続された印刷装置３のそれぞれについて、印刷装置識別情報と対応付けて、印刷装置３と通信するために必要な情報（ＩＰアドレスや、通信に用いる通信プロトコルに関する情報等。）を記憶している。
【００８２】
図１０のフローチャートＦＤに示すように、印刷装置３の印刷装置制御部４０は、印刷装置通信部４１を制御して、印刷開始通知情報を受信する（ステップＳＤ１）。
印刷開始通知情報の受信に応じて、印刷装置制御部４０は、印刷装置通信部４１を制御して、設定用ファイル応答要求情報を制御装置５に送信する（ステップＳＤ２）。設定用ファイル応答要求情報は、印刷装置３の機種を示す機種識別情報と、印刷装置３に装着された印刷メディアの印刷メディア識別情報とを含む。設定用ファイル応答要求情報は、設定用ファイルの送信を要求する情報である。
なお、印刷装置制御部４０は、所定の手段で、印刷装置３に装着された印刷メディアの印刷メディア識別情報を取得する。例えば、ユーザーにより印刷メディア識別情報が所定の手段で入力され、印刷装置制御部４０は、ユーザーに入力された印刷メディア識別情報を取得する。また例えば、印刷装置３にＩＣタグと通信する通信装置が設けられると共に、印刷メディアに印刷メディア識別情報が記録されたＩＣタグが取り付けられる。印刷装置制御部４０は、通信装置を制御して、印刷メディアに取り付けられたＩＣタグに記録された印刷メディア識別情報を読み取らせ、通信装置に読み取らせた印刷メディア識別情報を取得する。
【００８３】
図１０のフローチャートＦＥに示すように、制御装置５の制御装置制御部３０は、制御装置通信部３１を制御して、設定用ファイル応答要求情報を受信する（ステップＳＥ１）。
設定用ファイル応答要求情報の受信に応じて、制御装置制御部３０は、制御装置記憶部３２の抽象化情報記憶部３２１が記憶する抽象化情報テーブル３２１ａを参照する（ステップＳＥ２）。
【００８４】
抽象化情報テーブル３２１ａは、制御装置５が接続するローカルエリアネットワークＬＮａに接続された印刷装置３のそれぞれについて、印刷装置３に装着可能な印刷メディアごとにレコードを有するデータベースである。
抽象化情報テーブル３２１ａの各レコードは、印刷装置識別情報と、機種識別情報と、印刷メディア識別情報と、印刷メディア情報とを有する。１の印刷装置３に装着可能な１の印刷メディアに対応するレコードは、当該１の印刷装置３の印刷装置識別情報、当該１の印刷装置３の機種の機種識別情報、当該１の印刷メディアの印刷メディア識別情報、及び、当該１の印刷装置の機種と当該１の印刷メディアとの組み合わせに対応する印刷メディア情報を有する。
【００８５】
図１１は、抽象化情報テーブル３２１ａの内容の一例を、説明に適した態様で示す図である。
図１１の抽象化情報テーブル３２１ａは、以下の場合のテーブルである。すなわち、ローカルエリアネットワークＬＮａに、印刷装置識別情報が「ａａａ」で、機種識別情報が「ＫＳ０１」の印刷装置３（以下、「第１印刷装置」という。）と、印刷装置識別情報が「ｂｂｂ」で、機種識別情報が「ＫＳ０２」の印刷装置３（以下、「第２印刷装置」という。）と、が接続される。第１印刷装置は、印刷メディア識別情報が「ＭＤ０１」の印刷メディア、及び、印刷メディア識別情報が「ＭＤ０２」の印刷メディアが装着可能である。第２印刷装置は、印刷メディア識別情報が「ＭＤ０２」の印刷メディア、及び、印刷メディア識別情報が「ＭＤ０３」の印刷メディアが装着可能である。
この場合、図１１に示すように、抽象化情報テーブル３２１ａは、第１印刷装置について、第１印刷装置に装着可能な印刷メディア識別情報：「ＭＤ０１」の印刷メディアに対応するレコードＲ１と、印刷メディア識別情報：「ＭＤ０２」の印刷メディアに対応するレコードＲ２とを有する。また、抽象化情報テーブル３２１ａは、第２印刷装置について、第２印刷装置に装着可能な印刷メディア識別情報：「ＭＤ０２」の印刷メディアに対応するレコードＲ３と、印刷メディア識別情報：「ＭＤ０３」の印刷メディアに対応するレコードＲ４とを有する。
【００８６】
なお、制御装置制御部３０は、適宜、メディアサーバー８と通信し、印刷装置３の機種と、印刷メディアとの組み合わせに対応する印刷メディア情報について、メディアリスト２２ａにおける印刷メディア情報と、抽象化情報テーブル３２１ａにおける印刷メディア情報との同期を取り、これら情報の内容の同一性を維持する。
【００８７】
図１０のフローチャートＦＥに示すように、ステップＳＥ２で抽象化情報テーブル３２１ａを参照した後、制御装置制御部３０は、設定用応答ファイル識別情報に含まれる機種識別情報と印刷メディア識別情報との組み合わせと、抽象化情報テーブル３２１ａの各レコードが有する機種識別情報と印刷メディア識別情報との組み合わせとの突合により、対応するレコードを特定する。そして、制御装置制御部３０は、特定したレコードが有する印刷メディア情報を取得する（ステップＳＥ３）。
【００８８】
次いで、制御装置制御部３０は、制御装置記憶部３２の実体記憶部３２２が記憶する設定値実体テーブル３２２ａを参照する（ステップＳＥ４）。
設定値実体テーブル３２２ａは、制御装置５が接続するローカルエリアネットワークＬＮａに接続された印刷装置３の機種ごとに、対応する機種の印刷装置３に装着可能な印刷メディアのそれぞれについて、以下のレコードを有する。すなわち、設定項目ごとに、設定項目識別情報と、各設定値の候補と、各設定値の候補に割り振られた設定値言葉情報とを対応付けたレコードを有する。なお、設定値の候補は、具体的な値である。
【００８９】
図１２は、設定値実体テーブル３２２ａの内容の一例を、説明に適した態様で示す図である。
図１２の設定値実体テーブル３２２ａは、以下の場合のテーブルである。すなわち、ローカルエリアネットワークＬＮａに機種：「ＫＳ０１」の印刷装置３が接続されている。機種：「ＫＳ０１」の印刷装置３には、印刷メディア識別情報：「ＭＤ０１」の印刷メディアと、印刷メディア識別情報：「ＭＤ０２」の印刷メディアとを装着可能である。
図１２の設定値実体テーブル３２２ａのレコードＲ５では、印刷メディア識別情報が「ＭＤ０１」の場合のプラテンギャップ項目について、プラテンギャップ項目の設定項目識別情報と、設定値の候補の１つ（図１２の例では、「１．０ミリ」。）と、当該設定値の候補に割り振られた設定値言葉情報（図１２の例では、「狭い」。）とが対応付けられている。
また、図１２の設定値実体テーブル３２２ａのレコードＲ６では、印刷メディア識別情報が「ＭＤ０１」の場合のテンション項目について、プラテンギャップ項目の設定項目識別情報と、設定値の候補の１つ（図１２の例では、「レベルＬ１」。）と、当該設定の候補に割り振られた設定値言葉情報（図１２の例では、「弱い」。）とが対応付けられている。
【００９０】
ステップＳＥ４で設定値実体テーブル３２２ａを参照した後、制御装置制御部３０は、ステップＳＥ４で参照した設定値実体テーブル３２２ａの内容と、ステップＳＥ３で取得した印刷メディア情報に基づいて、設定用ファイル応答要求情報の送信元の印刷装置３の各設定項目に設定する設定値を特定する（ステップＳＥ５）。
以下、プラテンギャップ項目に設定する設定値を特定する場合を例にして、ステップＳＥ５の処理について詳述する。
【００９１】
制御装置制御部３０は、取得した印刷メディア情報に基づいて、当該情報に含まれる設定値言葉情報のうち、プラテンギャップ項目に対応する設定値言葉情報を特定する。上述したように、印刷メディア情報において、設定値言葉情報は、予め定められた設定項目の順番に従って配列されているため、制御装置制御部３０は、当該順番に応じて、プラテンギャップ項目に対応する設定値言葉情報を特定する。次いで、制御装置制御部３０は、設定値実体テーブル３２２ａのレコードのうち、ステップＳＥ１で受信した設定用ファイル応答要求情報に含まれる機種識別情報と、当該設定用ファイル応答要求情報に含まれる印刷メディア識別情報と、プラテンギャップ項目の設定項目識別情報と、特定した設定値言葉情報との組み合わせを有するレコードを特定する。次いで、制御装置制御部３０は、特定したレコードが有する設定値の候補を、プラテンギャップ項目に設定する設定値として特定する。
以上、プラテンギャップ項目に設定する設定値を特定する場合を例にしてステップＳＥ５の処理を説明したが、ステップＳＥ５において、制御装置制御部３０は、他の設定項目についても、プラテンギャップ項目の場合と同様の処理を行って、設定項目に設定する設定値を特定する。
【００９２】
ステップＳＥ５において、各設定項目に設定する設定値を特定した後、制御装置制御部３０は、設定用ファイルを生成する（ステップＳＥ６）。
設定用ファイルとは、設定項目のそれぞれについて、設定項目識別情報と、ステップＳＥ５で特定した設定値とが対応付けて記述されたファイルである。
次いで、制御装置制御部３０は、制御装置通信部３１を制御して、ステップＳＥ６で生成した設定用ファイルを印刷装置３に送信する（ステップＳＥ７）。
ここで、印刷装置３の設定項目に設定する設定値は、「印刷制御パラメーター」に相当する。そして、設定用ファイルは、パラメーター情報（印刷制御パラメーター）の実体に相当する。ステップＳＥ６、ＳＥ７で示すように、制御装置５は、パラメーター情報の実体をファイル化して提供する。
【００９３】
以上のように、本実施形態に係る制御装置５は、印刷制御パラメーターについて、印刷装置３の機種と、印刷メディア情報との組み合わせごとに、印刷制御パラメーターに関するデータ（設定用ファイルに相当するデータ。）を記憶しない。制御装置５は、設定用ファイルの送信の要求があった場合に、都度、設定値実体テーブル３２２ａに基づいて、設定用ファイルを生成し、送信する。この構成のため、設定用ファイル（パラメーター情報の実体）を印刷装置３に対して提供できる状態を確立した上で、印刷装置３の機種と、印刷メディア情報との組み合わせごとに設定用ファイルを記憶する場合と比較して、設定に関する必要な情報を記憶する容量を低減することができる。
【００９４】
図１０のフローチャートＦＤに示すように、印刷装置３の印刷装置制御部４０は、印刷装置通信部４１を制御して、設定用ファイルを受信する（ステップＳＤ３）。
次いで、印刷装置制御部４０は、ステップＳＤ３で受信した設定用ファイルに基づいて、設定項目への設定値の設定を行う（ステップＳＤ４）。詳述すると、印刷装置制御部４０は、設定ファイル４２ａを参照し、設定項目のそれぞれについて、設定用ファイルにおいて設定項目識別情報と対応付けて記述された設定値を記述する。ステップＳＤ４の処理により、設定項目への設定値の設定が完了する。
【００９５】
なお、本実施形態では、設定項目に設定値を設定する処理は、印刷メディアが印刷装置３に装着された上で、印刷が行われるタイミングで行われる。この点に関し、当該処理を、印刷メディアが印刷装置３に装着されたタイミングで行われるようにしてもよい。
【００９６】
設定項目に設定値を設定した後、印刷装置制御部４０は、印刷装置通信部４１を制御して、設定完了通知情報を画像処理装置６に送信する（ステップＳＤ５）。
設定完了通知情報は、印刷装置３の現時点の印刷モードを示す情報（以下、「印刷モード識別情報」という。）と、印刷装置３の機種の機種識別情報と、印刷装置３に装着された印刷メディアの印刷メディア識別情報とを含む。設定完了通知情報は、設定項目への設定値の設定が完了したことを通知する情報である。
【００９７】
図１０のフローチャートＦＣに示すように、画像処理装置６の画像処理装置制御部５０は、画像処理装置通信部５１を制御して、設定完了通知情報を受信する（ステップＳＣ２）。
次いで、画像処理装置制御部５０は、ステップＳＣ２の設定完了通知情報の受信に応じて、画像処理装置通信部５１を制御して、カラープロファイル応答要求情報を制御装置５に送信する（ステップＳＣ３）。
カラープロファイル応答要求情報は、ステップＳＣ２で受信した設定完了通知情報に含まれる印刷モード識別情報と、機種識別情報と、印刷メディア識別情報とを含む。カラープロファイル応答要求情報は、カラープロファイルの送信を要求する情報である。
【００９８】
図１０のフローチャートＦＥに示すように、制御装置５の制御装置制御部３０は、制御装置通信部３１を制御して、カラープロファイル応答要求情報を受信する（ステップＳＥ８）。
カラープロファイル応答要求情報の受信に応じて、制御装置制御部３０は、抽象化情報テーブル３２１ａを参照する（ステップＳＥ９）。
次いで、制御装置制御部３０は、カラープロファイル応答要求情報に含まれる機種識別情報と、印刷メディア識別情報とに基づいて、ステップＳＥ３と同様の処理を行って印刷メディア情報を取得する（ステップＳＥ１０）。
次いで、制御装置制御部３０は、ステップＳＥ１０で取得した印刷メディア情報と、ステップＳＥ８で受信したカラープロファイル応答要求情報に含まれる印刷モード識別情報とに基づいて、ラスターデータを生成する画像処理を実行する場合に、使用すべきカラープロファイルのカラープロファイル言葉情報を特定する（ステップＳＥ１１）。上述したように、印刷メディア情報において、カラープロファイル言葉情報は、予め定められた印刷モードの順番に従って配列されているため、制御装置制御部３０は、当該順番に応じて、印刷装置３の現時点の印刷モードに対応するカラープロファイル言葉情報を特定する。上述したように、カラープロファイル言葉情報は、色相言葉情報と、明度言葉情報と、彩度言葉情報との組み合わせからなる情報である。
【００９９】
次いで、制御装置制御部３０は、制御装置記憶部３２の実体記憶部３２２が記憶するカラープロファイル実体テーブル３２２ｂを参照する（ステップＳＥ１２）。
カラープロファイル実体テーブル３２２ｂは、色相言葉情報と、明度言葉情報と、彩度言葉情報との組み合わせのそれぞれについて、カラープロファイル（ファイル形式のカラープロファイルの実体。）を記憶するテーブルである。以下、色相言葉情報と、明度言葉情報と、彩度言葉情報との組み合わせを、便宜的に、「カラープロファイル言葉情報の種類」と表現する。カラープロファイル実体テーブル３２２ｂは、カラープロファイル言葉情報の種類ごとに、レコードを有し、各レコードは、カラープロファイル言葉情報と、カラープロファイルとを有する。
図１３は、カラープロファイル実体テーブル３２２ｂの内容の一例を、説明に適した態様で示す図である。
ここで、メディアサーバー８のサーバー記憶部２２は、カラープロファイル管理データベース２２ｂを記憶する。カラープロファイル管理データベース２２ｂは、カラープロファイル実体テーブル３２２ｂと同様、色相言葉情報と、明度言葉情報と、彩度言葉情報との組み合わせのそれぞれについて、カラープロファイル（ファイル形式のカラープロファイルの実体。）を記憶するデータベースである。カラープロファイル管理データベース２２ｂが記憶するカラープロファイルの内容は、権限を有する者によって、所定の手段により、更新することが可能である。制御装置制御部３０は、適宜、メディアサーバー８と通信し、カラープロファイル実体テーブル３２２ｂと、カラープロファイル管理データベース２２ｂとの同期を取り、カラープロファイル実体テーブル３２２ｂが記憶するカラープロファイルのそれぞれと、カラープロファイル管理データベース２２ｂが記憶するカラープロファイルのそれぞれとの、内容の同一性を維持する。
【０１００】
ステップＳＥ１２でカラープロファイル実体テーブル３２２ｂを参照した後、制御装置制御部３０は、当該テーブルが有するレコードのうち、ステップＳＥ１１で特定したカラープロファイル言葉情報に対応するレコードを特定し、特定したレコードが有するカラープロファイルを取得する（ステップＳＥ１３）。
次いで、制御装置制御部３０は、制御装置通信部３１を制御して、ステップＳＥ１３で取得したカラープロファイルを、画像処理装置６に送信する（ステップＳＥ１４）。
【０１０１】
ここで、カラープロファイルは、「パラメーター情報の実体」、及び、「画像処理パラメーター」に相当する。
以上のように、本実施形態に係る制御装置５は、カラープロファイル（画像処理パラメーター）について、「印刷装置３の機種と、印刷メディア情報と、印刷装置３の印刷モードとの組み合わせごとにカラープロファイルを記憶する」ということをしない。制御装置５は、カラープロファイル言葉情報の種類ごとに、重複なく、カラープロファイルを記憶する。この構成のため、カラープロファイル（パラメーター情報の実体）を画像処理装置６に対して提供できる状態を確立した上で、印刷装置３の機種と、印刷メディア情報と、印刷装置３の印刷モードとの組み合わせごとにカラープロファイルを記憶する場合と比較して、カラープロファイルを記憶する容量を低減することができ、カラープロファイルに関して制御装置５に記憶すべきデータのデータ量を削減できる。
同様のことは、カラープロファイル管理データベース２２ｂを記憶するメディアサーバー８についても言うことができる。すなわち、メディアサーバー８は、カラープロファイルに関し、カラープロファイル言葉情報の種類ごとに、重複なく、カラープロファイルを記憶すればよい。このため、印刷装置３の機種と、印刷メディア情報と、印刷装置３の印刷モードとの組み合わせごとにカラープロファイルを記憶する場合と比較して、カラープロファイルを記憶する容量を低減することができ、カラープロファイルに関してメディアサーバー８に記憶すべきデータのデータ量を削減できる。
なお、複数の「印刷装置３の機種と印刷メディアとの組み合わせ」に対して、同一の値のカラープロファイル言葉情報が、重複して付与されることは、許容される。
【０１０２】
図１０のフローチャートＦＣに示すように、画像処理装置６の画像処理装置制御部５０は、画像処理装置通信部５１を制御して、カラープロファイルを受信する（ステップＳＣ４）。
次いで、画像処理装置制御部５０は、少なくともＲＩＰソフトウェアの機能により、ステップＳＣ５で受信したカラープロファイルを用いて、ラスターデータを生成する（ステップＳＣ５）。なお、ラスターデータを生成するために必要なデータは、事前に、ＲＩＰソフトウェアに入力されているものとする。ラスターデータを生成するために必要なデータは、例えば、文書作成ソフトウェアにより生成されたテキストを含む画像の画像データであり、また例えば、描画ソフトウェアにより生成されたグラフィック画像の画像データであり、また例えば、デジタルカメラにより撮影された撮影画像の画像データである。
【０１０３】
ラスターデータを生成した後、画像処理装置制御部５０は、画像処理装置通信部５１を制御して、生成したラスターデータを印刷装置３に送信する（ステップＳＣ６）。
【０１０４】
図１０のフローチャートＦＤに示すように、印刷装置３の印刷装置制御部４０は、ラスターデータを受信する（ステップＳＤ６）。
次いで、印刷装置制御部４０は、ステップＳＤ６で受信したラスターデータに基づいて印刷部４３を制御して、印刷部４３に、印刷メディアに画像を印刷させる（ステップＳＤ７）。上述したように、印刷装置制御部４０は、設定項目に設定された設定値を反映して、印刷を実行する。
【０１０５】
以上説明したように、本実施形態に係る制御装置５（情報処理装置）は、印刷装置３の機種と印刷メディアとの組み合わせと対応付けて抽象化表現情報（設定値言葉情報、カラープロファイル言葉情報）を記憶する抽象化情報記憶部３２１と、抽象化表現情報と対応付けて印刷装置３による印刷メディアへの印刷に利用されるパラメーター情報の実体を記憶する実体記憶部３２２と、を有する。制御装置５は、印刷装置３の機種と印刷メディアとの組み合わせが特定されて、当該組み合わせに対応するパラメーター情報の実体が要求された場合、抽象化情報記憶部３２１を参照して、当該組み合わせに対応する抽象化表現情報を特定し、特定した抽象化表現情報に基づいて実体記憶部３２２からパラメーター情報の実体を取得して提供する。
この構成によれば、制御装置５は、パラメーター情報の実体を用いる装置に対してパラメーター情報の実体を提供できる状態を確立した上で、パラメーター情報の実体を記憶するこ容量を低減するとができる。
【０１０６】
また、本実施形態は、抽象化表現情報（設定値言葉情報、カラープロファイル言葉情報）は、パラメーター情報の実体を形容する言葉である。
この構成によれば、人間が、抽象化表現情報を認識したときに、抽象化表現情報に対応するパラメーター情報の実体の内容を、直感的、感覚的に認識できる。
【０１０７】
また、本実施形態では、実体記憶部３２２は、パラメーター情報の実体を重複して記憶せず、抽象化情報記憶部３２１が記憶する抽象化表現情報は、印刷装置３の機種と印刷メディアとの組み合わせに対して重複して付与されることが許容される。
この構成によれば、制御装置５は、パラメーター情報の実体を用いる装置に対してパラメーター情報の実体を提供できる状態を確立した上で、パラメーター情報の実体を記憶する容量を低減することができる。
【０１０８】
また、本実施形態では、制御装置５は、パラメーター情報の実体を提供する際、パラメーター情報の実体をファイル化して提供する。
この構成によれば、制御装置５は、パラメーター情報の実体を、ファイルにより、提供できる。
【０１０９】
また、本実施形態では、パラメーター情報の実体の要求は、パラメーター情報の実体を用いる装置により行われる。
この構成によれば、制御装置５は、パラメーター情報の実体を用いる装置に対して、パラメーター情報の実体を的確に提供できる。
【０１１０】
また、本実施形態では、パラメーター情報の実体は、印刷装置３に設定する印刷制御パラメーターを含む。
この構成によれば、制御装置５は、印刷装置３に対して印刷制御パラメーターを提供できる状態を確立した上で、印刷制御パラメーターを記憶する容量を低減することができる。
【０１１１】
また、本実施形態では、パラメーター情報の実体は、画像処理を実行することによって印刷装置３へ出力する印刷データを生成する画像処理装置６が、画像処理に利用する画像処理パラメーターを含む。
この構成によれば、制御装置５は、画像処理装置６に対して画像処理パラメーターを提供できる状態を確立した上で、画像処理パラメーターを記憶する容量を低減することができる。
【０１１２】
また、本実施形態では、パラメーター情報の実体は、画像処理パラメーターとしてカラープロファイルを含む。
この構成によれば、制御装置５は、データ量が大きく、特に効率的に記憶することが求められるカラープロファイルについて、記憶する容量を低減することができる。
【０１１３】
また、本実施形態では、パラメーター情報の実体は、印刷装置３の印刷モード（動作モード）に応じた複数のカラープロファイルを含む。
この構成によれば、制御装置５は、印刷装置３の各印刷モードのカラープロファイルについて、効率よく記憶できる。
【０１１４】
＜第２実施形態＞
次いで、第２実施形態について説明する。
上述した第１実施形態では、印刷メディア情報の第１領域Ａ１には、設定値言葉情報が、予め定められた設定項目の順番で配列されて構成されていた。一方、第２実施形態では、印刷メディア情報の第１領域Ａ１には、設定値言葉情報に代えて、設定値インデックス（インデックス）が、予め定められた設定項目の順番で配列される。
設定値インデックスは、設定値の候補のそれぞれについて、事前に割り振られた文字であり、設定値の候補を表すインデックスとして機能する。設定値インデックスは、一例として、１又は複数のアルファベットからなる文字（例えば、「Ａ」や、「Ｂ」、「ＸＸ」等。）であり、また、例えば、１又は複数の数字からなる文字（例えば、「１」や、「２」、「１０」等。）である。１つの設定項目の設定値の候補のそれぞれに割り振られる設定値インデックスのそれぞれは、異なる文字とされる。
例えば、プラテンギャップ項目の設定値の候補として、「１．０ミリ」、「３．０ミリ」、「５．０ミリ」、「７．０ミリ」、及び、「９．０ミリ」がある場合において、設定値の候補：「１．０ミリ」に対して設定値インデックスとして「Ａ」が割り振られ、設定値の候補：「３．０ミリ」に対して設定値インデックスとして「Ｂ」が割り振られ、設定値の候補：「５．０ミリ」に対して設定値インデックスとして「Ｃ」が割り振られ、設定値の候補：「７．０ミリ」に対して設定値ンデックスとして「Ｄ」が割り振られ、設定値の候補：「９．０ミリ」に対して設定値インデックスとして「Ｅ」が割り振られる。
設定値インデックスは、設定値の候補を、具体的な値ではなく、抽象化して表現する情報であり、「抽象化表現情報」に相当する。
【０１１５】
また、上述した第１実施形態では、印刷メディア情報の第２領域Ａ２には、カラープロファイル言葉情報が、予め定められた印刷モード順番で配列されて構成されていた。一方、第２実施形態では、印刷メディア情報の第２領域Ａ２には、カラープロファイル言葉情報に代えて、カラープロファイルインデックスが、予め定められた印刷モードの順番で配列される。カラープロファイルインデックスは、異なるカラープロファイルのそれぞれについて、事前に割り振られた文字であり、カラープロファイルを表すインデックスとして機能する。上述した第１実施形態では、色相言葉情報と、明度言葉情報と、彩度言葉情報との組み合わせごとに、異なるカラープロファイルが存在するが、この場合、カラープロファイルごとに、異なる文字により構成されるカラープロファイルインデックスが割り振られる。
【０１１６】
図１４は、本実施形態に係る印刷メディア情報の一例を示す図である。
図１４で例示する印刷メディア情報の第１領域Ａ１には、プラテンギャップ項目、テンション項目、吸引力項目、ヒーター温度項目の順番で、各設定項目に対応する設定値インデックスが、第１区切文字で区切られて配列されている。より詳細には、図１４で例示する印刷メディア情報において、１文字目の文字：「Ａ」は、プラテンギャップ項目の設定値の候補に割り振られた設定値インデックスであり、２文字目の文字：「α」は、テンション項目の設定値の候補に割り振られた設定値インデックスであり、３文字目の文字：「３」は、吸引力項目の設定値の候補に割り振られた設定値インデックスであり、４文字目の文字：「ｂ」は、ヒーター温度項目の設定値の候補の割り振られた設定値インデックスである。
図１４で例示する印刷メディア情報の第２領域Ａ２には、２つの印刷モードのそれぞれに対応するカラープロファイルインデックスが、区切文字で区切られて、予め定められた印刷モードの順番で配列されている。
設定値インデックス、及び、カラープロファイルインデックスは、それぞれ、抽象化表現情報に相当する。
【０１１７】
印刷メディア情報について、設定値インデックス、及び、カラープロファイルインデックスを予め定められた順番で配列して構成した場合も、設定値言葉情報、及び、カラープロファイル言葉情報を予め定められた順番で配列して構成した場合と同様の効果を奏する。
【０１１８】
第２実施形態では、設定値実体テーブル３２２ａの各レコードは、設定値言葉情報に代えて、設定値インデックスを有する。またカラープロファイル実体テーブル３２２ｂの各レコードは、カラープロファイル言葉情報に代えてカラープロファイルインデックスを有する。制御装置５は、各レコードが設定値言葉情報に代えて設定値インデックスを有する設定値実体テーブル３２２ａに基づいて、設定用ファイルを生成する。また、制御装置５は、各レコードがカラープロファイル言葉情報に代えてカラープロファイルインデックスを有するカラープロファイル実体テーブル３２２ｂに基づいて、画像処理装置６に送信すべきカラープロファイルを特定する。
【０１１９】
以上説明したように、第２実施形態では、抽象化表現情報は、パラメーター情報の実体に割り振られたインデックスである。
この構成によれば、インデックスにより、抽象化表現情報を簡潔に表現することができる。
【０１２０】
＜第３実施形態＞
次に、第３実施形態について説明する。
図１５は、第３実施形態に係るメディアサーバー８の機能的構成を示すブロック図である。
なお、第３実施形態の説明において、第１実施形態と同様の構成については、同一の符号を付し、その説明を省略する。
上述した第１実施形態では、制御装置５が、抽象化情報記憶部３２１と、実体記憶部３２２とを備え、抽象化情報記憶部３２１が抽象化情報テーブル３２１ａを記憶し、実体記憶部３２２が設定値実体テーブル３２２ａと、カラープロファイル実体テーブル３２２ｂとを記憶した。すなわち、制御装置５が「情報処理装置」として機能した。
【０１２１】
一方、図１５に示すように、第３実施形態では、メディアサーバー８のサーバー記憶部２２は、抽象化情報記憶部２２１と、実体記憶部２２２とを有する。
抽象化情報記憶部２２１は、抽象化情報テーブル２２１ａを記憶する。
抽象化情報テーブル２２１ａは、第１実施形態に係る抽象化情報テーブル３２１ａと同様のデータ構造であり、メディアサーバー８が管理の対象とする印刷装置３のそれぞれについて、印刷装置３に装着可能な印刷メディアごとにレコードを有する。
実体記憶部２２２は、設定値実体テーブル２２２ａと、カラープロファイル実体テーブル２２２ｂとを記憶する。
設定値実体テーブル２２２ａは、第１実施形態に係る設定値実体テーブル３２２ａと同様のデータ構造であり、メディアサーバー８が管理の対象とする印刷装置３の機種ごとに、対応する機種の印刷装置３に装着可能な印刷メディアのそれぞれについて、レコードを有する。
カラープロファイル実体テーブル２２２ｂは、第１実施形態におけるカラープロファイル実体テーブル３２２ｂ、及び、カラープロファイル管理データベース２２ｂと同様のデータ構造であり、色相言葉情報と、明度言葉情報と、彩度言葉情報との組み合わせのそれぞれについて、カラープロファイル（ファイル形式のカラープロファイルの実体。）を記憶する。
本実施形態において、メディアサーバー８は、「情報処理装置」として機能する。
【０１２２】
本実施形態では、メディアサーバー８が、制御装置５に代わって、図１０のフローチャートＦＥの処理を実行する。
すなわち、印刷装置３は、設定用ファイル応用要求情報を、制御装置５ではなく、メディアサーバー８に送信する。メディアサーバー８は、抽象化情報テーブル２２１ａ、及び、設定値実体テーブル２２２ａに基づいて、設定用ファイルを生成し、印刷装置３に送信する。印刷装置３は、受信した設定用ファイルに基づいて、設定を行う。
また、画像処理装置６は、カラープロファイル応答要求情報を、制御装置５ではなく、メディアサーバー８に送信する。メディアサーバー８は、抽象化情報テーブル２２１ａ、及び、カラープロファイル実体テーブル２２２ｂに基づいて、カラープロファイルを取得し、取得したカラープロファイルを画像処理装置６に送信する。画像処理装置６は、受信したカラープロファイルに基づいて、ラスターデータを生成し、印刷装置３に送信する。
本実施形態の構成であっても、第１実施形態で説明した効果と同様の効果を奏する。
【０１２３】
なお、上述した実施の形態は、あくまでも本発明の一態様を示すものであり、本発明の範囲内で任意に変形および応用が可能である。
例えば、印刷装置３がＬＦＰである場合を例として実施形態を説明したが、印刷装置３は、ＬＦＰに限らない。また、印刷装置３がインクジェットプリンターである場合を例として実施形態を説明したが、印刷装置３の印刷方式はインクジェット方式に限らない。すなわち、印刷装置３は、印刷メディアに印刷する機能を有する装置であればよい。
また、上述した実施形態では、設定項目への設定値の設定に関し、設定ファイル４２ａに設定値を記述する場合を例にして実施形態を説明したが、設定項目への設定値の設定は、設定ファイル４２ａへの設定値の記述に限らない。例えば、印刷装置３を制御する所定のプログラムの変数に、設定値を書き込むことでもよい。
また、図を用いて説明した機能ブロックは、本願発明を理解容易にするために、各装置の機能構成を主な処理内容に応じて分類して示した概略図である。各装置の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。
また、図で示したフローチャートの処理単位は、各装置の処理を理解容易にするために、主な処理内容に応じて分割したものである。処理単位の分割の仕方や名称によって、本願発明が制限されることはない。各装置の処理は、処理内容に応じて、さらに多くの処理単位に分割することもできる。また、１つの処理単位がさらに多くの処理を含むように分割することもできる。また、同様の処理が行えれば、上記のフローチャートの処理順序も、図示した例に限られるものではない。
【符号の説明】
【０１２４】
１…情報処理システム、２…印刷システム、３…印刷装置、４ａ…通信装置、５…制御装置（情報処理装置）、６…画像処理装置、８…メディアサーバー（情報処理装置）、３０…制御装置制御部（制御部）、３１…制御装置通信部、３２…制御装置記憶部、３２ａ…印刷管理プログラム、４０…印刷装置制御部、４１…印刷装置通信部、４２…印刷装置記憶部、４２ａ…設定ファイル、４２ｂ…ファームウェア、４３…印刷部、５０…画像処理装置制御部、５１…画像処理装置通信部、５２…画像処理装置記憶部、５２ａ…画像処理プログラム、３２１…抽象化情報記憶部、３２１ａ…抽象化情報テーブル、３２２…実体記憶部、３２２ａ…設定値実体テーブル、３２２ｂ…カラープロファイル実体テーブル。
【図１】
2018142172.tif 000003
【図２】
2018142172.tif 000004
【図３】
2018142172.tif 000005
【図４】
2018142172.tif 000006
【図５】
2018142172.tif 000007
【図６】
2018142172.tif 000008
【図７】
2018142172.tif 000009
【図８】
2018142172.tif 000010
【図９】
2018142172.tif 000011
【図１０】
2018142172.tif 000012
【図１１】
2018142172.tif 000013
【図１２】
2018142172.tif 000014
【図１３】
2018142172.tif 000015
【図１４】
2018142172.tif 000016
【図１５】
2018142172.tif 000017